(57)【要約】【課題】車椅子に載っている被検者を、天板上に容易に載せることができるＸ線透視撮影装置を提供する。【解決手段】装置の天板４を立位の状態にし、被検者８を、取り外し可能な吊シート１０の敷かれた車椅子９に腰掛けさせ、背面から天板４に接触させる。ケーブル７ａを延ばし先端の吊具７ｂを吊シート１０の吊穴１０ａに掛ける。そして、ケーブル巻取部７によってケーブル７ａを巻き取り、被検者８を吊り上げ任意の位置に止め、車椅子９を移動させ、天板４を水平位に倒し、吊シート１０を伸ばし、被検者８を楽な姿勢にして、透視・撮影を行う。診断終了後、逆手順により被検者８を車椅子９に移動させる。【選択図】　　　　　図１
2004081568.tif 000002
【特許請求の範囲】
【請求項１】
Ｘ線管装置とＸ線像検出部からなる映像系を被検者を載せた天板を挟んで対向配置し、天板を立位から水平位に起倒回転させてＸ線透視・撮影を行うＸ線透視撮影装置であって、車椅子の座面に取り外し可能に敷かれ吊穴を有した吊シートと、その吊穴に吊具を掛け上部から吊り上げるケーブルと、前記天板上部に備えられ前記ケーブルを巻き取るケーブル巻取部とを設け、天板を立位にして前記車椅子の被検者を背面から前記吊シートで吊り上げ天板を立位から水平位にして透視・撮影を行うことが出来るようにしたことを特徴とするＸ線透視撮影装置。
【発明の詳細な説明】
【０００１】
【発明の属する技術分野】
本発明は、Ｘ線透視撮影装置に係わり、特に、車椅子に載った被検者を天板上に載せて透視・撮影するＸ線透視撮影装置に関する。
【０００２】
【従来の技術】
Ｘ線透視撮影装置は、制御部と透視撮影台からなり、Ｘ線を放射するＸ線管装置と天板上に載せられた被検者のＸ線透過像を受像するＸ線像検出部（スポット撮影装置やイメージングシステムなど）が天板を挟んで対向して配置され、Ｘ線管装置から放射したＸ線が、天板に載せられた被検者の診断部位を透過し、そのＸ線透過像がイメージインテンシファイアなどのＸ線像検出部に受像されて透視及び撮影される。
Ｘ線管装置が天板の上にありＸ線像検出部が天板の下に配置されたオーバテーブルチューブタイプ透視撮影台は、Ｘ線管装置が天板より離れた位置にあるため天板の上部空間が大きく、被検者の観察も容易であり、さらに被検者の体位変換なども行いやすい。そのため、被検者に対する多種の診断（例えば、ミエログラフィやＩＶＲ）を行う場合や、他の診断（例えば内視鏡診断や超音波診断など）を併用する場合に便利である。また、重いスポット撮影装置を保持しやすいという特徴がある。そして、装置の動作時、被検者とＸ線管装置との干渉にあまり注意を払わなくてもよいため、遠隔操作式透視撮影台として、集団検診などに用いられる。
【０００３】
図５に、オーバテーブルチューブタイプのＸ線透視撮影装置を示す。Ｘ線透視撮影装置は、透視撮影台と操作卓２０から構成され、操作卓２０は内部に制御部１６を、上面に操作盤１７を備えている。透視撮影台は、基台６に主支柱５が立てられ、その主支柱５上を保持部５ａが保持部駆動機構５ｂによって上下に移動し、保持部５ａが前方水平に取り付けられた金具を介して装置全体を保持し、その軸を中心にして天板４が天板回転機構４ａによって起倒回転する。そして、天板４を挟んで支柱２の上部にＸ線管装置１とそれに対向して下部にＸ線像検出部３が取り付けられ、支柱駆動機構２ａ及びＸ線像検出部駆動機構３ａにより天板４の長手方向に移動することができる。天板４は独立して天板上下左右移動機構４ｂによって平面状で移動することができる。さらに、Ｘ線管装置１をＸ線管回転機構１ａによって回転させ、Ｘ線像検出部３をＸ線像検出部駆動機構３ａによって移動させ、斜めからのＸ線照射を行うこともできる。
【０００４】
被検者の中には、身体が不自由なため、車椅子を利用されている方々がおられ、Ｘ線診断室で透視・撮影を行うことがしばしばある。
図６に、身体が不自由で介護を必要とする被検者用の簡易型の車椅子９を示す。車椅子９は、背後で介護者が握るグリップ１３と、身体が不自由な被検者が座る座シート２１と、背もたれ用のバックシート２２、足を当てるレッグレスト２４、足首を休めるフットレスト２３と、腕を休めるアームレスト１４と、自在輪としてのキャスター１９と、ブレーキ１８と、駆動輪２５とから構成されている。
そして、病院内では、車椅子に載っている被検者は、背後から介護者によって運転されるか、または、自力で駆動輪を駆動して移動している。
【０００５】
【発明が解決しようとする課題】
従来のＸ線透視撮影装置は以上のように構成されているが、病院内で術後などの安静を要する被検者は、一般にキャスターつきの寝台でＸ線診断室まで運ばれ、Ｘ線透視撮影台の水平位の天板４の高さが、寝台と同じ高さ状態で天板上に移される。しかし、車椅子９に載っている身体が不自由な被検者の場合、介護者をはじめ周囲の術者、助手などを含めた数人の人たちにより、被検者を車椅子９からＸ線透視撮影台の天板４上に移動させ、または、診断終了後、天板４から車椅子９に移動させており、被検者の身体を数人で持ち上げなければならないという問題がある。また、一旦、ストレッチャーなどを介して移動させるにしても、被検者の身体を持ち上げる必要が生じる。
【０００６】
本発明は、このような事情に鑑みてなされたものであって、車椅子に載っている被検者を、天板上に容易に載せることができるＸ線透視撮影装置を提供することを目的とする。
【０００７】
【課題を解決するための手段】
上記の目的を達成するため、本発明のＸ線透視撮影装置は、Ｘ線管装置とＸ線像検出部からなる映像系を被検者を載せた天板を挟んで対向配置し、天板を立位から水平位に起倒回転させてＸ線透視・撮影を行うＸ線透視撮影装置であって、車椅子の座面に取り外し可能に敷かれ吊穴を有した吊シートと、その吊穴に吊具を掛け上部から吊り上げるケーブルと、前記天板上部に備えられ前記ケーブルを巻き取るケーブル巻取部とを設け、天板を立位にして前記車椅子の被検者を背面から前記吊シートで吊り上げ天板を立位から水平位にして透視・撮影を行うことが出来るようにしたものである。
【０００８】
本発明のＸ線透視撮影装置は上記のように構成されており、天板を立位に起倒回転させ、車椅子を背面から天板面に接触させ、被検者の腰掛けている車椅子に取り外し可能に敷いてある吊シートの吊穴に、上部からのケーブル先端に取り付けられた吊具を掛け、天板の上部に設けられたケーブル巻取部によってケーブルを巻き取り、車椅子に腰掛けている被検者を吊シートで天板の任意の位置に吊り上げ、車椅子を移動させて、天板を水平位に倒し回転させる。そして、透視・撮影を行う。このような方法によって被検者を車椅子から天板上に移動させれば、介助者及び数人の助手の手を煩わせずに、操作者一人で楽に安全に行うことができる。また、天板から車椅子に被検者を移動させる場合は、上記の逆の作業を操作者一人で行うことができる。
【０００９】
【発明の実施の形態】
本発明のＸ線透視撮影装置の一実施例を、図１を参照しながら説明する。図１は本発明のＸ線透視撮影装置のケーブル巻取部７を有する透視撮影台と車椅子９の吊シート１０上に腰掛けた被検者８を示す図である。本発明のＸ線透視撮影装置は、Ｘ線管装置１と天板４を挟んで対向配置させたＸ線像検出部３を水平位から立位まで起倒回転する透視撮影台と、その透視撮影台の天板４の上部端に設けられケーブル７ａを巻き取るケーブル巻取部７と、車椅子９の座面に取り外し可能に敷かれ吊穴１０ａを有した吊シート１０と、その吊穴１０ａに吊具７ｂを掛け上部から吊り上げるケーブル７ａと、電動によってケーブル巻取部７を作動するスイッチ１２とから構成される。
【００１０】
各構成部の機能と動作について説明する。透視撮影台は、Ｘ線管装置１と天板４を挟んで対向配置させたＸ線像検出部３を立位から水平位まで起倒回転することができる。そして、体の不自由な被検者８は水平位で楽な姿勢にしたまま、図５に示すＸ線管装置１とＸ線像検出部３を、支柱駆動機構２ａ及びＸ線像検出部駆動機構３ａにより天板４の長手方向に移動することもできる。また、ケーブル巻取部７を上端に取り付けた天板４は、独立して図５に示す天板上下左右移動機構４ｂによって平面状で移動することができる。さらに、Ｘ線管装置１をＸ線管回転機構１ａによって回転させ、Ｘ線像検出部３をＸ線像検出部駆動機構３ａによって移動させ、斜めからのＸ線照射を行うこともできる。これらの機構により、天板４上に載せられた体の不自由な被検者８のいろいろな部位を、水平位で任意の位置で透視・撮影することができる。
ケーブル巻取部７は、透視撮影台の天板４の上部端に設けられ、透視撮影台の手前側面に設けられたスイッチ１２の切換によって作動するモータにより、電動で回転する巻取車にケーブル７ａを巻き取りまたは巻き降ろしを行う。巻取車は天板４の上部端の両側に２個設けられ左右同じ速度でケーブル７ａを巻き取る。
吊シート１０は、Ｘ線に対し透過性のよい材料（たとえば、カーボン板など）で製作され、車椅子９の座面に取り外し可能に敷かれ、６箇所の吊穴１０ａを有する。図２に、吊シート１０がケーブル７ａによって天板４の上端に設けられたケーブル巻取部７に巻き取られる状態を示す。吊シート１０は、図６に示す車椅子９の座面（バックシート２２、座シート２１、レッグレスト２４）の上面に載せられ、その寸法は座面の全域を覆う大きさに製作され、バックシート２２の面、座シート２１の面、およびレッグレスト２４の面の境界部で被検者の身体的な形状に沿って２箇所で折れ曲がるよう製作される。そして、被検者８を上部から吊シート１０を用いて吊り上げるために、両側端の６箇所（膝関節の両側、臀部の後方両側、背面上部の両側）に吊穴１０ａが設けられる。
ケーブル７ａは、下方先端に吊具７ｂを設け、吊シート１０に設けられた６箇所の吊穴１０ａに吊具７ｂを掛け、天板４上部に設けられたケーブル巻取部７の巻取車によって巻き上げられ、または巻き降ろされたりする。ケーブル巻取部７の巻取車は、天板４上部の両端に設けられ、その両巻取車のピッチは、吊シート１０の両側の吊穴１０ａに吊具７ｂで掛けられたケーブル７ａが上方に開くように、大きめに設置されている。そして、側面から見て３段に折れ曲がる吊シート１０のバックシート２２に対応するシート面が垂直に、座シート２１に対応するシート面が少し左下がりに水平に、レッグレスト２４に対応するシート面がシートの弾性により上がり気味になるように、ケーブル７ａの長さが決定される。また、ケーブル７ａの材質は被検者８が触れても冷たさを感じさせない材料のものが表面に使われ、安全上から芯線は撚鋼線が用いられる。
スイッチ１２は、透視撮影台の手前側面に設けられ、天板４の上部に設けられたモータ駆動によって回転するケーブル巻取部７の巻取車を回転作動させるもので、切換スイッチ方式により、巻揚―停止―巻降の選択式のものが使われる。また、非常時の停止用の押しボタンスイッチ（図示せず）も赤色で設けられている。
【００１１】
次に、本Ｘ線透視撮影装置の操作について、図３、図４を参照しながら説明する。図３は、透視撮影台の天板４に車椅子９の被検者８を移動させる手順を示す図で、（ａ）は車椅子９の背面を立位にされた天板４の面に近づけた状態、（ｂ）は被検者８を天板４の任意の高さにケーブル７ａで引き上げた状態を示す。図４は、透視撮影台を水平位にして被検者８を透視・撮影する手順を示す図で、（ａ）は被検者８の膝関節がケーブル７ａで引っ張られ、曲げられた状態、（ｂ）はケーブル７ａの図２に示す吊具７ｂを吊穴１０ａから外し、吊シート１０を伸ばし被検者８を天板４上に楽な姿勢にした状態を示す。
はじめに、車椅子９に図２に示す吊シート１０を敷く。そして車椅子９に被検者８を腰掛けさせる。一方、基台６上の主支柱５を支点にして透視撮影台を立位状態に起倒させる。そして、車椅子９の背面が天板４に近づくように（ａ）に示す位置に移動させる。次に、天板４上部に設けられたケーブル巻取部７からのケーブル７ａをスイッチ１２によって巻き降ろし、ケーブル７ａ先端に設けられた図２に示す６個の吊具７ｂを吊シート１０の吊穴１０ａのそれぞれの箇所（膝関節の両側、臀部の後方両側、背面上部の両側）に掛ける。このとき吊具７ｂと吊穴１０ａには記号が付され同じ記号同士を掛ける。これによりケーブル７ａのそれぞれの長さが適合されて、吊シート１０が被検者８の体形に合うようにケーブル７ａからの力が均等にかかる。この状態で透視撮影台の手前側面に設けられたスイッチ１２を巻揚位置に切り換える。被検者８は吊シート１０によって吊り上げられ、（ｂ）に示す支柱２に支えられたＸ線管装置１の前面の任意の位置の高さで、スイッチ１２を停止位置に切り換える。そして下部の車椅子９を他の場所に移動させる。
次に、図４に示すように、基台６上の主支柱５を支点にして透視撮影台を起倒し水平位の状態にする。（ａ）では被検者８は膝関節が曲げられた状態であり、スイッチ１２の切り換えによって、天板４の上部端に設けられたケーブル巻取部７でケーブル７ａを巻き降ろし緩めて、図２に示す吊具７ｂと吊穴１０ａを外し、吊シート１０を天板４上に延ばし、被検者８の足を延ばさせ、（ｂ）に示す楽な状態にさせる。そして、支柱２に支えられたＸ線管装置１からＸ線を放射させ、天板４の下部に位置するＸ線像検出部３で、被検者８の診断部位のＸ線透過像を検出して、必要とする部位を天板４を平面状で移動させ関心領域を中心にして、透視・撮影を行う。
そして、透視撮影が終了すれば、上記の逆の作業を行い、被検者８を車椅子９に戻す。
【００１２】
上記の実施例では、吊シート１０としてカーボンなどの硬い板を用いて説明したが、柔らかい布製でも、被検者８に対し吊り上げるときに多少窮屈な感じになるが、適用することができる。
また、図６に示す車椅子９の座シート２１、バックシート２２およびレッグレスト２４などの布製部分が、Ｘ線透過性のよい材料で構成され、車椅子９からこれらのシートが分離できるようにして、吊シートとして使用するようにすることもできる。
また、透視撮影台の側面に設けられたスイッチ１２は切換式のスイッチで説明したが、押しボタン式のものにすることもできる、そして、ハンドスイッチとして操作者が手に握りながら操作できるようにすることもできる。
また、透視撮影台の天板４の上部端に、ケーブル巻取部７を取り付けた装置について説明したが、ＣＴ装置などの寝台を、立位状態に起倒回転できるように加工し、先端部にケーブル巻取部７を取り付ければ同様に適用することができる。
【００１３】
【発明の効果】
本発明のＸ線透視撮影装置は上記のように構成されており、従来のＸ線透視撮影台の天板上部端にケーブル巻取部とそのケーブルの先端に吊具を設け、一方、車椅子の座席に取り外し可能な、両側に吊り上げ可能な吊穴を有した吊シートを敷いた車椅子に、被検者を腰掛けさせ、天板を立位にして車椅子を背面から天板面に接触させ、吊シートの吊穴にケーブル先端の吊具を掛け、ケーブル巻取部によって被検者を吊シートで天板の任意の位置に吊り上げ、車椅子を他の位置に移動させ、天板を水平位に倒して被検者の透視・撮影を行うことができる。
車椅子に載っている被検者を、数人の手を煩わせずに、操作者一人で天板上に安全に容易に移動することができ、また、診断終了後は逆の作業を行うことにより移動でき、移動時に人手が少なくてすみ、診断時の労力を低減することができる。
【図面の簡単な説明】
【図１】本発明のＸ線透視撮影装置の一実施例を示す図である。
【図２】本発明のＸ線透視撮影装置に吊シートをケーブルで吊るした状態を示す図である。
【図３】本発明のＸ線透視撮影装置に被検者を吊るす状態を説明するための図である。
【図４】本発明のＸ線透視撮影装置に被検者を水平位にした状態を示す図である。
【図５】従来のＸ線透視撮影装置を示す図である。
【図６】介助用の車椅子を示す図である。
【符号の説明】
１…Ｘ線管装置
１ａ…Ｘ線管回転機構
２…支柱
２ａ…支柱駆動機構
３…Ｘ線像検出部
３ａ…Ｘ線像検出部駆動機構
４…天板
４ａ…天板回転機構
５…主支柱
５ａ…保持部
５ｂ…保持部駆動機構
６…基台
７…ケーブル巻取部
７ａ…ケーブル
７ｂ…吊具
８…被検者
９…車椅子
１０…吊シート
１０ａ…吊穴
１２…スイッチ
１３…グリップ
１４…アームレスト
１６…制御部
１７…操作盤
１８…ブレーキ
１９…キャスター
２０…操作卓
２１…座シート
２２…バックシート
２３…フットレスト
２４…レッグレスト
２５…駆動輪
【図１】
2004081568.tif 000003
【図２】
2004081568.tif 000004
【図３】
2004081568.tif 000005
【図４】
2004081568.tif 000006
【図５】
2004081568.tif 000007
【図６】
2004081568.tif 000008